(57)【要約】      （修正有）【課題】露光が不適切な撮影画像を印刷装置側で高速で色補正できるような、顔オブジェクト情報付き撮影画像を生成する。【解決手段】原撮影画像を取得する原撮影画像取得手段１１と、前記原撮影画像取得手段により取得した前記原撮影画像中の顔オブジェクトを認識する顔オブジェクト認識手段１２と、前記原撮影画像中の前記顔オブジェクトの、前記原撮影画像上での位置情報または色情報を顔オブジェクト情報として抽出する顔オブジェクト情報抽出手段１３と、前記顔オブジェクト情報が前記原撮影画像に添付されまたは埋め込まれた顔オブジェクト情報付き撮影画像を生成する撮影画像生成手段１４とを備える。【選択図】図１
2010252352.tif 000002
【特許請求の範囲】
【請求項１】
顔オブジェクト情報付き撮影画像を生成するための画像処理装置であって、
原撮影画像を取得する原撮影画像取得手段と、
前記原撮影画像取得手段により取得した前記原撮影画像中の顔オブジェクトを認識する顔オブジェクト認識手段と、
前記原撮影画像中の前記顔オブジェクトの、前記原撮影画像上での位置情報または色情報を顔オブジェクト情報として抽出する顔オブジェクト情報抽出手段と、
前記顔オブジェクト情報が前記原撮影画像に添付されまたは埋め込まれた顔オブジェクト情報付き撮影画像を生成する撮影画像生成手段と、
を備えたことを特徴とする画像処理装置。
【請求項２】
顔オブジェクト情報付き撮影画像を生成するための画像処理装置であって、
原撮影画像を取得する原撮影画像取得手段と、
前記原撮影画像取得手段により取得した前記原撮影画像中の顔オブジェクトを認識する顔オブジェクト認識手段と、
前記原撮影画像中の前記顔オブジェクトの、前記原撮影画像上での位置情報および色情報を顔オブジェクト情報として抽出する顔オブジェクト情報抽出手段と、
前記顔オブジェクト情報が前記原撮影画像に添付されまたは埋め込まれた顔オブジェクト情報付き撮影画像を生成する撮影画像生成手段と、
を備えたことを特徴とする画像処理装置。
【請求項３】
請求項１または２に記載の画像処理装置を搭載したデジタルカメラであって、
前記撮影画像を格納するメモリを着脱できるメモリ装着手段および／または前記撮影画像をデータ出力する通信手段を備えたことを特徴とするデジタルカメラ。
【請求項４】
顔オブジェクト情報付き撮影画像のデータ構造であって、前記顔オブジェクト情報付き撮影画像に、原撮影画像中の顔オブジェクトの前記原撮影画像上での位置情報または色情報が添付されまたは埋め込まれていることを特徴とする画像データ構造。
【請求項５】
顔オブジェクト情報付き撮影画像のデータ構造であって、前記顔オブジェクト情報付き撮影画像に、原撮影画像中の顔オブジェクトの前記原撮影画像上での位置情報および色情報が添付されまたは埋め込まれていることを特徴とする画像データ構造。
【請求項６】
色補正を行うための画像処理装置であって、
処理対象となる画像を取得する画像取得手段と、
顔の比較色情報を記憶した比較色情報記憶手段と、
前記画像取得手段により取得した前記画像に顔オブジェクトの位置情報が添付されまたは埋め込まれているか否かを判定する判定手段と、
前記判定手段が、前記画像に前記位置情報が添付されまたは埋め込まれていると判定したときは、前記画像から前記顔オブジェクトの前記位置情報が示す領域の色情報を抽出する色情報抽出手段と、
前記色情報抽出手段が抽出した色情報と前記比較色情報とに基づき、前記画像の色補正を行う色補正手段と、
を備えたことを特徴とする画像処理装置。
【請求項７】
色補正を行うための画像処理装置であって、
処理対象となる画像を取得する画像取得手段と、
顔の比較色情報を記憶した比較色情報記憶手段と、
前記画像に顔オブジェクトの色情報が添付されまたは埋め込まれているか否かを判定する判定手段と、
前記判定手段が、前記画像に前記色情報が添付されまたは埋め込まれていると判定したときは、前記色情報と前記比較色情報とに基づき、前記画像の色補正を行う色補正手段と、
を備えたことを特徴とする画像処理装置。
【請求項８】
色補正を行うための画像処理装置であって、
処理対象となる画像を取得する画像取得手段と、
顔の比較色情報を記憶した比較色情報記憶手段と、
前記画像取得手段により取得した前記画像に顔オブジェクトの位置情報および色情報が添付されまたは埋め込まれているか否かを判定する判定手段と、
前記判定手段が、前記画像に前記位置情報および色情報が添付されまたは埋め込まれていると判定したときは、前記色情報抽出手段が抽出した色情報と前記比較色情報とに基づき、前記画像中の前記顔オブジェクトの色補正を行う色補正手段と、
を備えたことを特徴とする画像処理装置。
【請求項９】
請求項６から８の何れかに記載の画像処理装置を搭載した印刷装置であって、
前記撮影画像を格納するメモリを着脱できるメモリ装着手段および／または前記撮影画像をデータ出力する通信手段を備えたことを特徴とする印刷装置。
【請求項１０】
原撮影画像を取得する原撮影画像取得ステップと、
前記原撮影画像取得ステップにおいて取得した前記原撮影画像中の顔オブジェクトを認識する顔オブジェクト認識ステップと、
前記原撮影画像中の前記顔オブジェクトの、前記原撮影画像上での位置情報または色情報を顔オブジェクト情報として抽出する顔オブジェクト情報抽出ステップと、
前記顔オブジェクト情報が前記原撮影画像に添付されまたは埋め込まれた顔オブジェクト情報付き撮影画像を生成する顔オブジェクト情報付き撮影画像生成ステップと、
を有することを特徴とする顔オブジェクト情報付き撮影画像の生成方法。
【請求項１１】
原撮影画像を取得する原撮影画像取得ステップと、
前記原撮影画像取得ステップにおいて取得した前記原撮影画像中の顔オブジェクトを認識する顔オブジェクト認識ステップと、
前記原撮影画像中の前記顔オブジェクトの、前記原撮影画像上での位置情報および色情報を顔オブジェクト情報として抽出する顔オブジェクト情報抽出ステップと、
前記顔オブジェクト情報が前記原撮影画像に添付されまたは埋め込まれた顔オブジェクト情報付き撮影画像を生成する顔オブジェクト情報付き撮影画像生成ステップと、
を有することを特徴とする顔オブジェクト情報付き撮影画像の生成方法。
【請求項１２】
処理対象となる画像を取得する画像取得ステップと、
顔の比較色情報を記憶した比較色情報記憶ステップと、
前記画像取得ステップにおいて取得した前記画像に顔オブジェクトの位置情報が添付されまたは埋め込まれているか否かを判定する判定ステップと、
前記判定ステップにおいて前記画像に前記位置情報が添付されまたは埋め込まれていると判定されたときは、前記画像から前記顔オブジェクトの前記位置情報が示す領域の色情報を抽出する色情報抽出ステップと、
前記色情報抽出ステップにおいてが抽出された色情報と前記比較色情報とに基づき、前記画像の色補正を行う色補正ステップと、
を有することを特徴とする色補正方法。
【請求項１３】
処理対象となる画像を取得する画像取得ステップと、
顔の比較色情報を記憶した比較色情報記憶ステップと、
前記画像に顔オブジェクトの色情報が添付されまたは埋め込まれているか否かを判定する判定ステップと、
前記判定ステップにおいて前記画像に前記色情報が添付されまたは埋め込まれていると判定されたときは、前記色情報と前記比較色情報とに基づき、前記画像の色補正を行う色補正ステップと、
を有することを特徴とする色補正方法。
【請求項１４】
処理対象となる画像を取得する画像取得ステップと、
顔の比較色情報を記憶した比較色情報記憶ステップと、
前記画像取得ステップにおいて取得した前記画像に顔オブジェクトの位置情報および色情報が添付されまたは埋め込まれているか否かを判定する判定ステップと、
前記判定ステップにおいて前記画像に前記位置情報および色情報が添付されまたは埋め込まれていると判定されたときは、色情報と前記比較色情報とに基づき、前記画像中の前記顔オブジェクトの色補正を行う色補正ステップと、
を有することを特徴とする色補正方法。
【発明の詳細な説明】
【技術分野】
【０００１】
本発明は、撮影画像中の顔オブジェクトを認識する手段を備えた画像処理装置およびこ
の画像処理装置を搭載したデジタルカメラ、顔オブジェクト情報付き画像の画像データ構
造、顔オブジェクト情報に応じた色補正を行う画像処理装置およびこの画像処理装置を搭
載した自動色補正機能付き印刷装置、顔オブジェクト情報付き撮影画像の生成方法、並び
に顔オブジェクト情報に応じた色補正を行うための色補正方法に関し、特に不適切な露光
により撮影された画像を短時間で色補正して印刷する技術に関する。
【背景技術】
【０００２】
近年、外部装置から撮影画像を直接取り込みユーザにより指定された撮影画像を、コン
ピュータを介することなく直接印刷できる印刷装置が市販されるようになっている。
この種の印刷装置には、デジタルカメラに搭載される着脱可能なメモリを装着できるポ
ートを備え、当該ポートに装着されたメモリに格納されている撮影画像を取り込んで印刷
できるものがある。また、デジタルカメラの通信ポートから撮影画像を受信できる通信ポ
ートを備え、デジタルカメラで撮影した画像を直接取り込んで印刷できるものもある。
【０００３】
ところで、デジタルカメラにより人物等を撮影した際に、たとえば撮影領域（被写体や
被写体でない領域）に直射日光や強い照明が照射されると、露光が不適切（典型的には露
光過剰または露光不足）となることがある。このような露光が不適切な状態で撮影された
画像を、上述した印刷装置（撮影画像を直接取り込むことができる印刷装置）により印刷
すると、撮影画像全体の色が不自然になる。
【０００４】
もちろん、露光が不適切な状態で撮影された画像を、一旦コンピュータに取り込み、色
補正を行った後に印刷することも可能であるが、このような色補正は、一般にはフォトレ
タッチ等に熟達した者でないとできない。このため、露光が不適切な状態で撮影されたこ
とがわかっている画像であっても、コンピュータにより処理することなく、そのまま印刷
せざるを得ない場合がほとんどである。
【０００５】
このようなことから、上述した印刷装置により撮影画像を取り込んだときは、当該撮影
画像中から顔オブジェクト（撮影画像中の人物の顔）を抽出し、この顔オブジェクトの色
が好適な顔の色に合うように、撮影画像全体の色を補正する色補正機能付きの印刷装置が
提案されている（特許文献１）。
【発明の開示】
【発明が解決しようとする課題】
【０００６】
しかし、撮影画像中から顔オブジェクトを抽出するためには、重い（計算量の多い）演
算処理が必要となる。通常、印刷装置に搭載されるＣＰＵは、撮影画像中の顔オブジェク
トを高速で認識できるパフォーマンスを有していない。このため、撮影画像中の顔オブジ
ェクトを認識し、顔オブジェクトの色が好適な顔の色に合うように撮影画像を色補正する
といった一連の処理を従来の色補正機能付きの印刷装置で行うと、印刷開始指示から、印
刷開始までに長時間（ユーザが許容できると想定される時間以上の時間）がかかる場合が
ある。
【０００７】
本発明の目的は、露光が不適切な撮影画像を印刷装置側で高速で色補正できるような、
顔オブジェクト情報付き撮影画像を生成するための画像処理装置およびこの画像処理装置
を搭載したデジタルカメラを提供することにある。
【０００８】
本発明の目的は、露光が不適切な撮影画像を印刷装置側で高速で色補正できるような、
顔オブジェクト情報付き撮影画像のデータ構造を提供することにある。
【０００９】
本発明の目的は、顔オブジェクト情報付きの撮影画像を受け取ったときに、撮影画像を
高速で色補正できる画像処理装置およびこの画像処理装置を搭載した自動色補正機能付き
印刷装置を提供することにある。
【００１０】
本発明の目的は、露光が不適切な撮影画像を印刷装置側で高速で色補正できるような、
顔オブジェクト情報付き撮影画像の生成方法を提供することにある。
【００１１】
本発明の目的は、顔オブジェクト情報付き撮影画像を高速で色補正するための色補正方
法を提供することにある。
【課題を解決するための手段】
【００１２】
本発明の顔オブジェクト情報付き撮影画像を生成するための画像処理装置は、（１）お
よび（２）を要旨とする。
（１）「  顔オブジェクト情報付き撮影画像を生成するための画像処理装置であって、
原撮影画像を取得する原撮影画像取得手段と、
前記原撮影画像取得手段により取得した前記原撮影画像中の顔オブジェクトを認識する
顔オブジェクト認識手段と、
前記原撮影画像中の前記顔オブジェクトの、前記原撮影画像上での位置情報または色情
報を顔オブジェクト情報として抽出する顔オブジェクト情報抽出手段と、
前記顔オブジェクト情報が前記原撮影画像に添付されまたは埋め込まれた顔オブジェク
ト情報付き撮影画像を生成する撮影画像生成手段と、
を備えたことを特徴とする画像処理装置。」
【００１３】
（２）「  顔オブジェクト情報付き撮影画像を生成するための画像処理装置であって、
原撮影画像を取得する原撮影画像取得手段と、
前記原撮影画像取得手段により取得した前記原撮影画像中の顔オブジェクトを認識する
顔オブジェクト認識手段と、
前記原撮影画像中の前記顔オブジェクトの、前記原撮影画像上での位置情報および色情
報を顔オブジェクト情報として抽出する顔オブジェクト情報抽出手段と、
前記顔オブジェクト情報が前記原撮影画像に添付されまたは埋め込まれた顔オブジェク
ト情報付き撮影画像を生成する撮影画像生成手段と、
を備えたことを特徴とする画像処理装置。」
【００１４】
本発明のデジタルカメラは（３）を要旨とする。
（３）「（１）または（２）に記載の画像処理装置を搭載したデジタルカメラであって、
前記撮影画像を格納するメモリを着脱できるメモリ装着手段および／または前記撮影画
像をデータ出力する通信手段を備えたことを特徴とするデジタルカメラ。」
【００１５】
本発明の画像データ構造は、（４）および（５）を要旨とする。
（４）「  顔オブジェクト情報付き撮影画像のデータ構造であって、前記顔オブジェクト
情報付き撮影画像に、原撮影画像中の顔オブジェクトの前記原撮影画像上での位置情報ま
たは色情報が添付されまたは埋め込まれていることを特徴とする画像データ構造。」
【００１６】
（５）「  顔オブジェクト情報付き撮影画像のデータ構造であって、前記顔オブジェクト
情報付き撮影画像に、原撮影画像中の顔オブジェクトの前記原撮影画像上での位置情報お
よび色情報が添付されまたは埋め込まれていることを特徴とする画像データ構造。」
【００１７】
本発明の色補正を行うための画像処理装置は、（６）から（８）を要旨とする。
（６）「  色補正を行うための画像処理装置であって、
処理対象となる画像を取得する画像取得手段と、
顔の比較色情報を記憶した比較色情報記憶手段と、
前記画像取得手段により取得した前記画像に顔オブジェクトの位置情報が添付されまた
は埋め込まれているか否かを判定する判定手段と、
前記判定手段が、前記画像に前記位置情報が添付されまたは埋め込まれていると判定し
たときは、前記画像から前記顔オブジェクトの前記位置情報が示す領域の色情報を抽出す
る色情報抽出手段と、
前記色情報抽出手段が抽出した色情報と前記比較色情報とに基づき、前記画像の色補正
を行う色補正手段と、
を備えたことを特徴とする画像処理装置。」
【００１８】
（７）「  色補正を行うための画像処理装置であって、
処理対象となる画像を取得する画像取得手段と、
顔の比較色情報を記憶した比較色情報記憶手段と、
前記画像に顔オブジェクトの色情報が添付されまたは埋め込まれているか否かを判定す
る判定手段と、
前記判定手段が、前記画像に前記色情報が添付されまたは埋め込まれていると判定した
ときは、前記色情報と前記比較色情報とに基づき、前記画像の色補正を行う色補正手段と
、
を備えたことを特徴とする画像処理装置。」
【００１９】
（８）「  色補正を行うための画像処理装置であって、
処理対象となる画像を取得する画像取得手段と、
顔の比較色情報を記憶した比較色情報記憶手段と、
前記画像取得手段により取得した前記画像に顔オブジェクトの位置情報および色情報が
添付されまたは埋め込まれているか否かを判定する判定手段と、
前記判定手段が、前記画像に前記位置情報および色情報が添付されまたは埋め込まれて
いると判定したときは、前記色情報抽出手段が抽出した色情報と前記比較色情報とに基づ
き、前記画像中の前記顔オブジェクトの色補正を行う色補正手段と、
を備えたことを特徴とする画像処理装置。」
【００２０】
本発明の印刷装置は、（９）を要旨とする。
（９）「（６）から（８）の何れかに記載の画像処理装置を搭載した印刷装置であって、
前記撮影画像を格納するメモリを着脱できるメモリ装着手段および／または前記撮影画
像をデータ出力する通信手段を備えたことを特徴とする印刷装置。」
本発明の顔オブジェクト情報付き撮影画像の生成方法は、（１０），（１１）を要旨と
する。
【００２１】
（１０）「  原撮影画像を取得する原撮影画像取得ステップと、
前記原撮影画像取得ステップにおいて取得した前記原撮影画像中の顔オブジェクトを認
識する顔オブジェクト認識ステップと、
前記原撮影画像中の前記顔オブジェクトの、前記原撮影画像上での位置情報または色情
報を顔オブジェクト情報として抽出する顔オブジェクト情報抽出ステップと、
前記顔オブジェクト情報が前記原撮影画像に添付されまたは埋め込まれた顔オブジェク
ト情報付き撮影画像を生成する顔オブジェクト情報付き撮影画像生成ステップと、
を有することを特徴とする顔オブジェクト情報付き撮影画像の生成方法。」
【００２２】
（１１）「  原撮影画像を取得する原撮影画像取得ステップと、
前記原撮影画像取得ステップにおいて取得した前記原撮影画像中の顔オブジェクトを認
識する顔オブジェクト認識ステップと、
前記原撮影画像中の前記顔オブジェクトの、前記原撮影画像上での位置情報および色情
報を顔オブジェクト情報として抽出する顔オブジェクト情報抽出ステップと、
前記顔オブジェクト情報が前記原撮影画像に添付されまたは埋め込まれた顔オブジェク
ト情報付き撮影画像を生成する顔オブジェクト情報付き撮影画像生成ステップと、
を有することを特徴とする顔オブジェクト情報付き撮影画像の生成方法。」
【００２３】
本発明の色補正方法は、（１２）から（１４）を要旨とする。
（１２）「  処理対象となる画像を取得する画像取得ステップと、
顔の比較色情報を記憶した比較色情報記憶ステップと、
前記画像取得ステップにおいて取得した前記画像に顔オブジェクトの位置情報が添付さ
れまたは埋め込まれているか否かを判定する判定ステップと、
前記判定ステップにおいて前記画像に前記位置情報が添付されまたは埋め込まれている
と判定されたときは、前記画像から前記顔オブジェクトの前記位置情報が示す領域の色情
報を抽出する色情報抽出ステップと、
前記色情報抽出ステップにおいてが抽出された色情報と前記比較色情報とに基づき、前
記画像の色補正を行う色補正ステップと、
を有することを特徴とする色補正方法。」
【００２４】
（１３）「  処理対象となる画像を取得する画像取得ステップと、
顔の比較色情報を記憶した比較色情報記憶ステップと、
前記画像に顔オブジェクトの色情報が添付されまたは埋め込まれているか否かを判定す
る判定ステップと、
前記判定ステップにおいて前記画像に前記色情報が添付されまたは埋め込まれていると
判定されたときは、前記色情報と前記比較色情報とに基づき、前記画像の色補正を行う色
補正ステップと、
を有することを特徴とする色補正方法。」
【００２５】
（１４）「  処理対象となる画像を取得する画像取得ステップと、
顔の比較色情報を記憶した比較色情報記憶ステップと、
前記画像取得ステップにおいて取得した前記画像に顔オブジェクトの位置情報および色
情報が添付されまたは埋め込まれているか否かを判定する判定ステップと、
前記判定ステップにおいて前記画像に前記位置情報および色情報が添付されまたは埋め
込まれていると判定されたときは、色情報と前記比較色情報とに基づき、前記画像中の前
記顔オブジェクトの色補正を行う色補正ステップと、
を有することを特徴とする色補正方法。」
【発明の効果】
【００２６】
本発明の顔オブジェクト情報付き撮影画像を生成する画像処理装置およびこの画像処理
装置を搭載したデジタルカメラによれば、露光が不適切な撮影画像を印刷装置側で高速に
色補正ができる。
本発明の顔オブジェクト情報付き撮影画像のデータ構造を採用するこにより、撮影に際
して露光が不適切であっても印刷装置側で高速で色補正できる。
本発明の色補正を行うための画像処理装置およびこの画像処理装置を搭載した自動色補
正機能付き印刷装置によれば、顔オブジェクト情報付きの撮影画像を受け取ったときに、
撮影画像を高速で色補正できる。
本発明の顔オブジェクト情報付き撮影画像の生成方法によれば、露光が不適切な撮影画
像を印刷装置側で高速で色補正できる。
本発明の色補正方法によれば、顔オブジェクト情報付き撮影画像を高速で色補正できる
。
【発明を実施するための最良の形態】
【００２７】
《第１実施形態》
図１（Ａ）は、本発明の顔オブジェクト情報付き撮影画像生成のための画像処理装置を
示す機能ブロック図である。
図１（Ａ）において、画像処理装置１は、原撮影画像取得手段１１と、顔オブジェクト
認識手段１２と、顔オブジェクト情報抽出手段１３と、撮影画像生成手段１４とを備えて
いる。
【００２８】
原撮影画像取得手段１１は、たとえば画像処理装置１がデジタルカメラに搭載される場
合にはデジタルカメラ２Ａの撮像手段２１から原撮影画像を取得することができる（図１
（Ｂ）参照）。
顔オブジェクト認識手段１２は、原撮影画像９１中の人物の顔オブジェクト９１１を認
識することができる。
【００２９】
顔オブジェクト情報抽出手段１３は、原撮影画像９１中の顔オブジェクト９１１の、原
撮影画像９１上での位置情報（本実施形態ではＦ（ｘf，ｙf））を抽出することができる
。
顔オブジェクトが原撮影画像９１中に複数あるときは、位置情報Ｆ（ｘf，ｙf）は複数
であってもよいし、最も面積が大きい顔オブジェクトの中心座標のみを位置情報Ｆ（ｘf
，ｙf）とすることもできる。
【００３０】
また、位置情報は、本実施形態におけるように、顔オブジェクトの中心座標Ｆ（ｘf，
ｙf）であってもよいし、顔オブジェクト上の矩形ブロック群を含むブロック情報であっ
てもよいし、顔オブジェクトの中心座標を中心とする図形（矩形、円、楕円、三角形、多
角形等）情報であってもよい。また、第３実施形態で説明するように、顔オブジェクトの
輪郭情報Ｇ（ｘg，ｙg）であってもよい。
【００３１】
撮影画像生成手段１４は、位置情報Ｆ（ｘf，ｙf）が原撮影画像９１に添付されまたは
埋め込まれた顔オブジェクト情報付き撮影画像９２を生成することができる。
【００３２】
図１（Ｂ）に示すように、画像処理装置１はデジタルカメラ２Ａに搭載することができ
る。図１（Ｂ）では、デジタルカメラ２Ａは、撮像手段２１と、撮影画像処理手段２２と
、自動焦点合せ手段２３と、操作手段２４と、表示手段２５と、メモリ装着手段２６と、
通信手段２７とを備えている。
【００３３】
撮像手段２１はＣＣＤ等の撮像装置であり、原撮影画像９１を生成することができる。
撮影画像処理手段２２は、図１（Ａ）の画像処理装置１を含んでおり、撮像手段２１が
生成した原撮影画像９１から、ＪＰＥＧフォーマット画像等の、顔オブジェクト情報付き
撮影画像９２や通常の撮影画像９３を作成することができる。
【００３４】
自動焦点合せ手段２３は、原撮影画像９１中から人物の顔オブジェクトを認識して当該
人物に焦点を合わせることができる。顔オブジェクトを認識するためには、目、眉毛、鼻
、口等の特徴部分のレイアウトサンプル、顔の輪郭サンプルをデータベースに保存してお
き、原撮影画像をリアルタイムでスキャンして、顔の位置および顔までの距離を測定する
技術が周知であるので説明は省略する。
【００３５】
操作手段２４は、シャッターの他、電源スイッチ、保存キー、モード設定キー等がより
構成される。モード設定キーにより、撮影モード、編集モード等が設定できる。
表示手段２５には、撮影モードでは、撮像手段２１が撮影している画像（撮影画像）が
、リアルタイムで示される。
【００３６】
メモリ装着手段２６には、原撮影画像９１を格納するメモリ２６１が装着される。撮影
画像９２や９３には、原撮影画像９１のヘッダ等に撮影日時等の付属情報が書き込まれて
構成されることもある。
通信手段２７は、撮影画像９２をデータ出力することができる。本実施形態では、デジ
タルカメラ２Ａは、メモリ装着手段２６と通信手段２７の双方を備えているが、何れか一
方を備えるようにしてもよい。
【００３７】
顔オブジェクト情報付き撮影画像９２は、顔オブジェクト情報付き撮影画像９２のヘッ
ダに、位置情報（座標Ｆ（ｘf，ｙf））が書き込まれることで本発明の画像データ構造を
構成することができる。位置情報Ｆ（ｘf，ｙf）は、顔オブジェクト９１１の原撮影画像
９１上での座標である。また、顔オブジェクト情報付き撮影画像９２は、原撮影画像９１
中に、位置情報Ｆ（ｘf，ｙf）が、電子透かしとして埋め込まれることで本発明の画像デ
ータ構造を構成することができる。
【００３８】
図２（Ａ）は、本発明の色補正用の画像処理装置３を示す機能ブロック図である。図２
（Ａ）において、画像処理装置３は、画像取得手段３１と、比較色情報記憶手段３２と、
判定手段３３と、色情報抽出手段３４と、色補正手段３５とを備えている。
【００３９】
画像取得手段３１は処理対象となる画像９５を取得することができる。比較色情報記憶
手段３２は、顔の比較色情報ＳＣを記憶している。
【００４０】
判定手段３３は、画像９５に顔オブジェクトの位置情報（画像９５上での位置情報Ｆ（
ｘf，ｙf））が書き込まれまたは埋め込まれているか否かを判定することができる。画像
９５に顔オブジェクトの位置情報が書き込まれまたは埋め込まれている場合には、画像９
５は前述した画像データ構造を有する顔オブジェクト情報付き画像９２である。
【００４１】
色情報抽出手段３４は、判定手段３３が、顔オブジェクトの位置情報（画像９５上での
位置情報Ｆ（ｘf，ｙf））が書き込まれまたは埋め込まれていると判定したときは、画像
９５から顔オブジェクトの位置情報Ｆ（ｘf，ｙf）が示す領域の色情報ＥＣを抽出するこ
とができる。
【００４２】
位置情報Ｆ（ｘf，ｙf）が複数あるときは、たとえば、それぞれに対応する色情報ＥＣ
を抽出し、通常これらの平均値を色補正に用いることができる。
色補正手段３５は、色情報抽出手段３４が抽出した色情報ＥＣと比較色情報記憶手段３
２に記憶されている比較色情報ＳＣに基づき、画像９５（すなわち、顔オブジェクト情報
付き画像９２）の色補正を行い色補正画像９６を生成することができる。この場合、色補
正手段３５は、色情報ＥＣと比較色情報ＳＣとが色空間上で近くにあるときは色補正を行
わず、遠くにあるときは色補正を行うようにできる。
【００４３】
図２（Ｂ）に示すように、色補正用の画像処理装置３は印刷装置４Ａに搭載することが
できる。図２（Ｂ）では、印刷装置４Ａは、画像処理装置３の他、メモリ装着手段４１と
、通信手段４２と、印刷データ生成手段４３と、印刷手段４４と、画像記憶手段４５とを
備えている。
【００４４】
メモリ装着手段４１には、画像が格納されたメモリ４１１が装着される。このメモリは
、典型的には、図２（Ｂ）に示すように、図１（Ｂ）に示したデジタルカメラ２Ａのメモ
リ装着手段２６に装着されていたメモリ２６１であるが、これには限定されない（たとえ
ば、コンピュータのメモリスロットに装着されていたメモリであることもある）。
【００４５】
メモリ４１１に格納された画像は、前述したの画像データ構造を有する撮影画像（顔オ
ブジェクト情報付き撮影画像９２）であることもあるし、前述した画像データ構造を有し
ない画像であることもある（たとえば、メモリ４１１がコンピュータのメモリスロットに
装着されていたメモリである場合には、撮影画像とは限らず、文書，図形，絵であること
もある）。
【００４６】
通信手段４２は、図１（Ｂ）の画像をデジタルカメラ２Ａの通信手段２７等と通信でき
、画像を受信することができる。この画像も、前述した画像データ構造を有する撮影画像
（顔オブジェクト情報付き撮影画像９２）であることもあるし、前述した画像データ構造
を有しない画像であることもある。この画像は、画像記憶手段４５に格納される。
【００４７】
なお、図２（Ｂ）では、画像処理装置３は、メモリ装着手段４１と通信手段４２の双方
を備えているが、何れか一方を備えるようにしてもよい。
画像処理装置３は、メモリ装着手段４１や通信手段４２から画像９５を取得し、図２（
Ａ）で説明した処理を実行する。
印刷データ生成手段４３は、画像処理装置３が、取得した画像９５が前述した画像デー
タ構造を有する顔オブジェクト情報付き画像９２であると判断したときは、色補正手段３
５により色補正した色補正画像９６の印刷データを生成し、印刷手段４４はこれを印刷す
る。
【００４８】
図３のフローチャートにより、図１（Ｂ）に示したデジタルカメラ２Ａにおける顔オブ
ジェクト情報付き画像９２の生成方法を説明する。
本実施形態では、デジタルカメラ２Ａは撮影モードにセットされており、画像処理装置
１は動作可能状態（アクティブ）になっているものとする。
【００４９】
撮像手段２１は、リアルタイムで変化する原撮影画像９１を表示手段２５に表示してお
り、撮影原撮影画像取得手段１１は撮像手段２１から原撮影画像９１を取得している（撮
影原画像取得ステップ：Ｓ１０１）。
顔オブジェクト認識手段１２は、原撮影画像９１をスキャンして当該原撮影画像９１中
の顔オブジェクトの認識を行う（顔オブジェクト認識ステップ：Ｓ１０２）。本実施形態
では、顔オブジェクト認識手段１２として、自動焦点合せ手段２３の顔オブジェクト抽出
機能がそのまま使用されている。
【００５０】
顔オブジェクト認識手段１２が、原撮影画像９１中に顔オブジェクトを認識しないとき
は（Ｓ１０３の「ＮＯ」）処理をＳ１０２に戻すが、原撮影画像９１中に顔オブジェクト
９１１を認識したとき（Ｓ１０３の「ＹＥＳ」）は、顔オブジェクト情報抽出手段１３は
、原撮影画像９１中の顔オブジェクト９１１の、原撮影画像９１上での位置情報Ｆ（ｘf
，ｙf）を抽出する（顔オブジェクト情報抽出ステップ：Ｓ１０４）。
【００５１】
操作手段２４のシャッターが押され、原撮影画像９１を保存するための保存キーが押さ
れると（撮影画像保存判断ステップ：Ｓ１０５の「ＹＥＳ」）、撮影画像処理手段２２が
原撮影画像９１を、所定フォーマット（本実施形態ではＪＰＥＧ）画像に変換する（フォ
ーマット変換ステップ：Ｓ１０６）。顔オブジェクト情報付き撮影画像生成手段１４は、
このＪＰＥＧ画像のヘッダに位置情報Ｆ（ｘf，ｙf）を書き込みまたはこのＪＰＥＧ画像
に位置情報Ｆ（ｘf，ｙf）を電子透かしで埋め込むことで、顔オブジェクト情報付き撮影
画像９２を生成する（顔オブジェクト情報付き撮影画像生成ステップ：Ｓ１０７）。
【００５２】
この顔オブジェクト情報付き撮影画像９２は、メモリ装着手段２６に装着されたメモリ
２６１に格納（保存）される。
なお、顔オブジェクト情報付き撮影画像９２が格納されたメモリ２６１はメモリ装着手
段２６から取り外されて印刷装置４Ａのメモリ装着手段４１に装着される（メモリ装着手
段４１に装着されたメモリは符号４１１で示される）。メモリ２６１に格納された顔オブ
ジェクト情報付き撮影画像９２は、通信手段２７および印刷装置４Ａの通信手段４２を介
して、印刷装置４Ａの画像記憶手段４５に格納される。
【００５３】
図４のフローチャートにより、図２（Ｂ）に示した印刷装置４Ａによる顔オブジェクト
情報付き画像９２の色補正方法を説明する。
本実施形態では、印刷装置４Ａは色補正モードにセットされており、画像処理装置３は
動作可能状態（アクティブ）で印刷指示を待っているものとする（待機ステップ：Ｓ２０
１）。
【００５４】
画像取得手段３１は、印刷指示がない場合（Ｓ２０１の「ＮＯ」）は待機状態を継続す
る。メモリ装着手段４１に装着されたメモリ４１１に格納された画像９５について、印刷
指示がなされ、あるいは通信手段４２を介して画像記憶手段４５に格納された画像につい
て印刷指示がなされると（Ｓ２０１の「ＹＥＳ」）、画像取得手段３１は印刷指示された
画像（処理対象となる画像９５）を取得する（画像取得ステップ：Ｓ２０２）。
【００５５】
判定手段３３は、画像９５が所定のフォーマットの画像（例えばＪＰＥＧ画像）である
か否かを判断し（フォーマット判定ステップ：Ｓ２０３）、ＪＰＥＧ画像でないとき（Ｓ
２０３の「ＮＯ」）は、色補正処理を中止する（色補正処理中止ステップ：Ｓ２０８）。
そして、印刷データ生成手段４３は画像９５の印刷データを生成し（Ｓ２０９）、印刷
手段４４はこの印刷データの印刷処理（すなわち、画像９５の印刷）を行う（Ｓ２１０）
。
なお、色補正画像９６でない画像を図２（Ｂ）においては通常画像９７として示す。
【００５６】
また、判定手段３３は、画像９５がＪＰＥＧ画像であると判断したとき（Ｓ２０３の「
ＹＥＳ」）は、画像９５に顔オブジェクトの位置情報（画像９５上での位置情報Ｆ（ｘf
，ｙf））が書き込まれまたは埋め込まれているか否かを判定し（位置情報有無判定ステ
ップ：Ｓ２０４）、顔オブジェクトの位置情報（画像９５上での位置情報Ｆ（ｘf，ｙf）
）が書き込まれていないときまたは埋め込まれていないとき（Ｓ２０４の「ＮＯ」）は、
色補正処理を中止する（Ｓ２０８）。そして、印刷データ生成手段４３は画像９５の印刷
データを生成し（Ｓ２０９）、印刷手段４４はこの印刷データの印刷処理（すなわち、画
像９５の印刷）を行う（Ｓ２１０）。
【００５７】
位置情報有無判定ステップＳ２０４において、判定手段３３が、画像９５に顔オブジェ
クトの位置情報（画像９５上での位置情報Ｆ（ｘf，ｙf））が書き込まれまたは埋め込ま
れていると判定したときは（Ｓ２０４の「ＹＥＳ」）、色情報抽出手段３４は、画像９５
から顔オブジェクトの位置情報Ｆ（ｘf，ｙf）が示す領域の色情報ＥＣを抽出する（Ｓ２
０５）。
【００５８】
次いで、色補正手段３５は、色情報抽出手段３４が抽出した色情報ＥＣと比較色情報記
憶手段３２に記憶されている比較色情報ＳＣとを比較し、色補正を行う  色補正は、ＲＧ
Ｂ空間で行うこともできるし、Ｌ*，ａ*，ｂ*空間で行うこともできるし、ＹＭＣまたは
ＹＭＣＫ空間で行うこともできる。本実施形態では、色補正は、ＲＧＢ空間で行う場合を
示す。
【００５９】
色情報ＥＣが示す色ｅｃ（Ｒｅｃ，Ｇｅｃ，Ｂｅｃ）が、比較色情報ＳＣが示す色ｓｃ
（Ｒｓｃ，Ｇｓｃ，Ｂｓｃ）を中心とするＲＧＢ色空間での所定領域に含まれか否かを判
断する（色比較ステップ：Ｓ２０６）。
【００６０】
たとえば、色情報ＥＣが示す色ｅｃ（Ｒｅｃ，Ｇｅｃ，Ｂｅｃ）について、下記の条件
を判断する。
Ｒｓｃ−δＲ＜Ｒｅｃ≦Ｒｓｃ＋δＲ  ・・・（１ａ）
Ｇｓｃ−δＧ＜Ｇｅｃ≦Ｇｓｃ＋δＧ  ・・・（１ｂ）
Ｂｓｃ−δＢ＜Ｂｅｃ≦Ｂｓｃ＋δＢ  ・・・（１ｃ）
色ｅｃ（Ｒｅｃ，Ｇｅｃ，Ｂｅｃ）が、上式を満たすときには
色情報ＥＣが示す色ｅｃ（Ｒｅｃ，Ｇｅｃ，Ｂｅｃ）が、比較色情報ＳＣが示す色ｓｃ
（Ｒｓｃ，Ｇｓｃ，Ｂｓｃ）を中心とするＲＧＢ色空間での所定領域に含まれているとき
は（Ｓ２０６の「ＹＥＳ」）、色補正処理を中止する（Ｓ２０８）。
色情報ＥＣが示す色ｅｃ（Ｒｅｃ，Ｇｅｃ，Ｂｅｃ）が、比較色情報ＳＣが示す色ｓｃ
（Ｒｓｃ，Ｇｓｃ，Ｂｓｃ）を中心とするＲＧＢ色空間での所定領域に含まれていないと
きは（Ｓ２０６の「ＮＯ」）、画像９５全体を、トーンカーブ補正やレベル補正等の適宜
の補正手法により補正し、色補正画像９６を生成する（Ｓ２０７）。
【００６１】
この色補正画像９６は、印刷データ生成手段４３に渡され、前述したように印刷データ
生成手段４３は、色補正画像９６から印刷データを生成し（Ｓ２０９）、これを印刷手段
４４に送り、印刷手段４４により画像９５の印刷を行う（Ｓ２１０）。
【００６２】
《第２実施形態》
図５（Ａ）は、本発明の顔オブジェクト情報付き撮影画像生成のための画像処理装置を
示す機能ブロック図である。
図５（Ａ）において、画像処理装置５は、原撮影画像取得手段５１と、顔オブジェクト
認識手段５２と、顔オブジェクト情報抽出手段５３と、撮影画像生成手段５４とを備えて
いる。
【００６３】
原撮影画像取得手段５１は、たとえば画像処理装置５がデジタルカメラに搭載される場
合にはデジタルカメラ２Ｂの撮像手段２１から原撮影画像を取得することができる（図９
（Ｂ）参照）。
【００６４】
顔オブジェクト認識手段５２は、原撮影画像９１中の人物の顔オブジェクト９１１を認
識することができる。
顔オブジェクト情報抽出手段５３は、原撮影画像９１中の顔オブジェクト９１１の、原
撮影画像９１上での色情報ＥＣを抽出することができる。
撮影画像生成手段５４は、色情報ＥＣが原撮影画像９１に添付されまたは埋め込まれた
顔オブジェクト情報付き撮影画像９２を生成することができる。
【００６５】
画像処理装置５は、図５（Ｂ）に示すように、デジタルカメラ２Ｂに搭載することがで
きる。図５（Ｂ）に示した、デジタルカメラ２Ｂの構成は、図１（Ｂ）に示したデジタル
カメラ２Ａの構成と概ね同じである。
【００６６】
図６（Ａ）は、色補正用の画像処理装置６を示す機能ブロック図である。図６（Ａ）に
おいて、画像処理装置６は、画像取得手段６１と、比較色情報記憶手段６２と、判定手段
６３と、色補正手段６５とを備えている。
画像取得手段６１は処理対象となる画像９５を取得することができる。
【００６７】
比較色情報記憶手段６２は、顔の比較色情報ＳＣを記憶している。
判定手段６３は、画像９５に色情報ＥＣが書き込まれまたは埋め込まれているか否かを
判定することができる。画像９５に顔オブジェクトの色情報ＥＣが書き込まれまたは埋め
込まれている場合には、画像９５は前述した画像データ構造を有する顔オブジェクト情報
付き画像９２である。
【００６８】
色補正手段６５は、色情報ＥＣと比較色情報記憶手段６２に記憶されている比較色情報
ＳＣに基づき、画像９５（すなわち、顔オブジェクト情報付き画像９２）の色補正を行い
色補正画像９６を生成することができる。この場合、色補正手段６５は、色情報ＥＣと比
較色情報ＳＣとが色空間上で近くにあるときは色補正を行わず、遠くにあるときは色補正
を行うようにできる。
【００６９】
図６（Ｂ）に示すように、色補正用の画像処理装置６は印刷装置４Ｂに搭載することが
できる。図６（Ｂ）に示した、印刷装置４Ｂの構成は、図２（Ｂ）に示した印刷装置４Ａ
の構成と概ね同じである。
【００７０】
図７のフローチャートにより、図５（Ｂ）に示したデジタルカメラ２Ｂにおける顔オブ
ジェクト情報付き画像９２の生成方法を説明する。
本実施形態では、デジタルカメラ２Ｂは撮影モードにセットされており、画像処理装置
５は動作可能状態（アクティブ）になっているものとする。
【００７１】
撮像手段２１は、リアルタイムで変化する原撮影画像９１を表示手段２５に表示してお
り、原撮影画像取得手段５１は撮像手段２１から原撮影画像９１を取得している（撮影原
画像取得ステップ：Ｓ３０１）。
【００７２】
顔オブジェクト認識手段５２は、原撮影画像９１をスキャンして当該原撮影画像９１中
の顔オブジェクトの認識を行う（顔オブジェクト認識ステップ：Ｓ３０２）。本実施形態
では、顔オブジェクト認識手段５２として、自動焦点合せ手段２３の顔オブジェクト抽出
機能がそのまま使用されている。
【００７３】
顔オブジェクト認識手段５２が、原撮影画像９１中に顔オブジェクトを認識しないとき
は（Ｓ３０３の「ＮＯ」）処理をＳ３０２に戻すが、原撮影画像９１中に顔オブジェクト
９１１を認識したとき（Ｓ３０３の「ＹＥＳ」）は、顔オブジェクト情報抽出手段５３は
、原撮影画像９１中の顔オブジェクト９１１の、原撮影画像９１上での位置情報Ｆ（ｘf
，ｙf）を抽出する（位置情報抽出ステップ：Ｓ３０４）。
【００７４】
操作手段２４のシャッターが押され、原撮影画像９１を保存するための保存キーが押さ
れると（撮影画像保存判断ステップ：Ｓ３０５の「ＹＥＳ」）、撮影画像処理手段２２が
原撮影画像９１を、所定フォーマット（本実施形態ではＪＰＥＧ）画像に変換し、顔オブ
ジェクトの色情報を抽出する（色情報抽出ステップ：Ｓ３０６）。顔オブジェクト情報付
き撮影画像生成手段５４は、このＪＰＥＧ画像のヘッダに色情報を書き込みまたはこのＪ
ＰＥＧ画像に色情報を電子透かしで埋め込むことで、顔オブジェクト情報付き撮影画像９
２を生成する（顔オブジェクト情報付き撮影画像生成ステップ：Ｓ３０７）。本実施形態
では、顔オブジェクト情報は、色情報であり、色情報抽出ステップＳ３０６が、本発明に
おける顔オブジェクト情報抽出ステップに対応する。
【００７５】
この顔オブジェクト情報付き撮影画像９２は、メモリ装着手段２６に装着されたメモリ
２６１に格納（保存）される。
なお、顔オブジェクト情報付き撮影画像９２が格納されたメモリ２６１はメモリ装着手
段２６から取り外されて印刷装置４Ｂのメモリ装着手段４１に装着される（メモリ装着手
段４１に装着されたメモリは符号４１１で示される）。メモリ２６１に格納された顔オブ
ジェクト情報付き撮影画像９２は、通信手段２７および印刷装置４Ｂの通信手段４２を介
して、印刷装置４Ｂの画像記憶手段４５に格納される。
【００７６】
図８のフローチャートにより、図９（Ｂ）に示した印刷装置４Ｂによる顔オブジェクト
情報付き画像９２の色補正方法を説明する。
本実施形態では、印刷装置４Ｂは色補正モードにセットされており、画像処理装置６は
動作可能状態（アクティブ）で待機状態にあるものとする（待機ステップ：Ｓ４０１）。
【００７７】
画像取得手段６１は、印刷指示がない場合（Ｓ４０１の「ＮＯ」）は待機状態を継続す
る。メモリ装着手段４１に装着されたメモリ４１１に格納された画像９５について、印刷
指示がなされ、あるいは通信手段４２を介して画像記憶手段４５に格納された画像につい
て印刷指示がなされると（Ｓ４０１の「ＹＥＳ」）、画像取得手段６１は印刷指示された
画像（処理対象となる画像９５）を取得する（画像取得ステップ：Ｓ４０２）。
【００７８】
判定手段６３は、画像９５が所定のフォーマットの画像（本実施形態ではＪＰＥＧ画像
）であるか否かを判断し（フォーマット判定ステップ：Ｓ４０３）、ＪＰＥＧ画像でない
とき（Ｓ４０３の「ＮＯ」）は、色補正処理を中止する（色補正処理中止ステップ：Ｓ４
０８）。そして、印刷データ生成手段４３に画像９５の印刷データの生成を指示し（Ｓ４
０８）、印刷データ生成手段４３は画像９５の印刷データの生成の指示があると、印刷手
段４４はこの印刷データの印刷処理（すなわち、画像９５の印刷）を行う（Ｓ４０９）。
【００７９】
なお、色補正画像９６でない画像を図６（Ｂ）においては通常画像９７として示す。
また、判定手段６３は、画像９５がＪＰＥＧ画像であると判断したとき（Ｓ４０３の「
ＹＥＳ」）は、画像９５に顔オブジェクトの色情報ＥＣが書き込まれまたは埋め込まれて
いるか否かを判定し（色情報有無判定ステップ：Ｓ４０４）、顔オブジェクトの色情報Ｅ
Ｃが書き込まれまたは埋め込まれていないとき（Ｓ４０４の「ＮＯ」）は、色補正処理を
中止する（Ｓ４０８）。そして、印刷データ生成手段４３に画像９５の印刷データの生成
を指示し（Ｓ４０８）、印刷データ生成手段４３は画像９５の印刷データを生成し（Ｓ４
０８）、印刷手段４４はこの印刷データの印刷処理（すなわち、画像９５の印刷）を行う
（Ｓ４０９）。
【００８０】
判定手段６３が、画像９５に顔オブジェクトの色情報ＥＣが書き込まれまたは埋め込ま
れていると判定したときは（Ｓ４０４の「ＹＥＳ」）、色情報抽出手段３４が抽出した色
情報ＥＣと比較色情報記憶手段６２に記憶されている比較色情報ＳＣとを比較し、色補正
を行う。
【００８１】
第１実施形態と同様、色補正は、ＲＧＢ空間で行うこともできるし、Ｌ*，ａ*，ｂ*空
間で行うこともできるし、ＹＭＣまたはＹＭＣＫ空間で行うこともできる。本実施形態に
おいても、色情報ＥＣが示す色ｅｃ（Ｒｅｃ，Ｇｅｃ，Ｂｅｃ）が、比較色情報ＳＣが示
す色ｓｃ（Ｒｓｃ，Ｇｓｃ，Ｂｓｃ）を中心とするＲＧＢ色空間での所定領域に含まれか
否かを判断する（色比較ステップ：Ｓ４０５）。
【００８２】
たとえば、色情報ＥＣが示す色ｅｃ（Ｒｅｃ，Ｇｅｃ，Ｂｅｃ）について、下記の条件
を判断する。
Ｒｓｃ−δＲ＜Ｒｅｃ≦Ｒｓｃ＋δＲ  ・・・（１ａ）
Ｇｓｃ−δＧ＜Ｇｅｃ≦Ｇｓｃ＋δＧ  ・・・（１ｂ）
Ｂｓｃ−δＢ＜Ｂｅｃ≦Ｂｓｃ＋δＢ  ・・・（１ｃ）
【００８３】
色ｅｃ（Ｒｅｃ，Ｇｅｃ，Ｂｅｃ）が、上式を満たすときには
色情報ＥＣが示す色ｅｃ（Ｒｅｃ，Ｇｅｃ，Ｂｅｃ）が、比較色情報ＳＣが示す色ｓｃ
（Ｒｓｃ，Ｇｓｃ，Ｂｓｃ）を中心とするＲＧＢ色空間での所定領域に含まれていないと
きは（Ｓ４０５の「ＮＯ」）、色補正処理を中止する処理を（Ｓ４０８）。
【００８４】
色情報ＥＣが示す色ｅｃ（Ｒｅｃ，Ｇｅｃ，Ｂｅｃ）が、比較色情報ＳＣが示す色ｓｃ
（Ｒｓｃ，Ｇｓｃ，Ｂｓｃ）を中心とするＲＧＢ色空間での所定領域に含まれているとき
は（Ｓ４０５の「ＹＥＳ」）、画像９５全体を、トーンカーブ補正やレベル補正等の適宜
の補正手法により補正し、色補正画像９６を生成する（Ｓ４０６）。
【００８５】
この色補正画像９６は、印刷データ生成手段４３に渡され、前述したように印刷データ
生成手段４３は、色補正画像９６から印刷データを生成し（Ｓ４０８）、これを印刷手段
４４に送り、印刷手段４４により画像９５の印刷を行う（Ｓ４０９）。
《第３実施形態》
【００８６】
図９（Ａ）は、本発明の顔オブジェクト情報付き撮影画像生成のための画像処理装置を
示す機能ブロック図である。
図９（Ａ）において、画像処理装置７は、原撮影画像取得手段７１と、顔オブジェクト
認識手段７２と、顔オブジェクト情報抽出手段７３と、撮影画像生成手段７４とを備えて
いる。
【００８７】
原撮影画像取得手段７１は、たとえば画像処理装置７がデジタルカメラに搭載される場
合にはデジタルカメラ２Ｃの撮像手段２１（図９（Ｂ）参照）から原撮影画像を取得する
ことができる。
【００８８】
顔オブジェクト認識手段７２は、原撮影画像９１中の人物の顔オブジェクト９１１を認
識することができる。
顔オブジェクト情報抽出手段７３は、原撮影画像９１中の顔オブジェクト９１１の、原
撮影画像９１上での輪郭情報Ｇ（ｘg，ｙg）および色情報ＥＣを抽出することができる。
【００８９】
撮影画像生成手段７４は、輪郭情報Ｇ（ｘg，ｙg）および色情報ＥＣが原撮影画像９１
に添付されまたは埋め込まれた顔オブジェクト情報付き撮影画像９２を生成することがで
きる。
画像処理装置７は、図９（Ｂ）に示すように、デジタルカメラ２Ｃに搭載することがで
きる。図９（Ｂ）に示した、デジタルカメラ２Ｃの構成は、図１（Ｂ）に示したデジタル
カメラ２Ａの構成と概ね同じである。
【００９０】
図１０（Ａ）は、色補正用の画像処理装置８を示す機能ブロック図である。図１０（Ａ
）において、画像処理装置８は、画像取得手段８１と、比較色情報記憶手段８２と、判定
手段８３と、色補正手段８５とを備えている。
画像取得手段８１は処理対象となる画像９５を取得することができる。
比較色情報記憶手段８２は、顔の比較色情報ＳＣを記憶している。
【００９１】
判定手段８３は、画像９５に顔オブジェクトの輪郭情報Ｇ（ｘg，ｙg）および色情報Ｅ
Ｃが書き込まれまたは埋め込まれているか否かを判定することができる。画像９５に輪郭
情報Ｇ（ｘg，ｙg）および色情報ＥＣが書き込まれまたは埋め込まれている場合には、画
像９５は前述した画像データ構造を有する顔オブジェクト情報付き画像９２である。
【００９２】
色補正手段８５は、色情報ＥＣと、比較色情報記憶手段８２に記憶されている比較色情
報ＳＣに基づき、顔オブジェクトの色補正が行われた色補正画像９６を生成することがで
きる。この場合、色補正手段８５は、色情報ＥＣと比較色情報ＳＣとが色空間上で近くに
あるときは色補正を行わず、遠くにあるときは色補正を行うようにできる。
【００９３】
図１０（Ｂ）に示すように、色補正用の画像処理装置８は印刷装置４Ｃに搭載すること
ができる。図１０（Ｂ）に示した、印刷装置４Ｃの構成は、図２（Ｂ）に示した印刷装置
４Ａの構成と概ね同じである。
図１１のフローチャートにより、図９（Ｂ）に示したデジタルカメラ２Ｃにおける顔オ
ブジェクト情報付き画像９２の生成方法を説明する。
【００９４】
本実施形態では、デジタルカメラ２Ｃは撮影モードにセットされており、画像処理装置
７は動作可能状態（アクティブ）になっているものとする。
撮像手段２１は、リアルタイムで変化する原撮影画像９１を表示手段２５に表示してお
り、原撮影画像取得手段７１は撮像手段２１から原撮影画像９１を取得している（撮影原
画像取得ステップ：Ｓ５０１）。
【００９５】
顔オブジェクト認識手段７２は、原撮影画像９１をスキャンして当該原撮影画像９１中
の顔オブジェクトの認識を行う（顔オブジェクト認識ステップ：Ｓ５０２）。本実施形態
では、顔オブジェクト認識手段７２として、自動焦点合せ手段２３の顔オブジェクト抽出
機能がそのまま使用されている。
【００９６】
顔オブジェクト認識手段７２が、原撮影画像９１中に顔オブジェクトを認識しないとき
は（Ｓ５０３の「ＮＯ」）処理をＳ５０２に戻すが、原撮影画像９１中に顔オブジェクト
９１１を認識したとき（Ｓ５０３の「ＹＥＳ」）は、顔オブジェクト情報抽出手段７３は
、原撮影画像９１中の顔オブジェクト９１１の、原撮影画像９１上での輪郭情報Ｇ（ｘg
，ｙg）を抽出する（輪郭情報抽出ステップ：Ｓ５０４）。
【００９７】
操作手段２４のシャッターが押され、原撮影画像９１を保存するための保存キーが押さ
れると（撮影画像保存判断ステップ：Ｓ５０５の「ＹＥＳ」）、撮影画像処理手段２２が
原撮影画像９１を、所定フォーマット（本実施形態ではＪＰＥＧ）画像に変換し、顔オブ
ジェクトの色情報を抽出する（色情報抽出ステップ：Ｓ５０６）。顔オブジェクト情報付
き撮影画像生成手段７４は、このＪＰＥＧ画像のヘッダに色情報を書き込みまたはこのＪ
ＰＥＧ画像に色情報を電子透かしで埋め込むことで、顔オブジェクト情報付き撮影画像９
２を生成する（顔オブジェクト情報付き撮影画像生成ステップ：Ｓ５０７）。本実施形態
では、顔オブジェクト情報は、輪郭情報Ｇ（ｘg，ｙg）および色情報ＥＣであり、顔オブ
ジェクトの色情報抽出ステップＳ５０６が、本発明における顔オブジェクト情報抽出ステ
ップに対応する。
【００９８】
この顔オブジェクト情報付き撮影画像９２は、メモリ装着手段２６に装着されたメモリ
２６１に格納（保存）される。
なお、顔オブジェクト情報付き撮影画像９２が格納されたメモリ２６１はメモリ装着手
段２６から取り外されて印刷装置４Ｃのメモリ装着手段４１に装着される（メモリ装着手
段４１に装着されたメモリは符号４１１で示される）。メモリ２６１に格納された顔オブ
ジェクト情報付き撮影画像９２は、通信手段２７および印刷装置４Ｃの通信手段４２を介
して、印刷装置４Ｃの画像記憶手段４５に格納される。
【００９９】
図１２のフローチャートにより、図１０（Ｂ）に示した印刷装置４Ｃによる顔オブジェ
クト情報付き画像９２の色補正方法を説明する。
本実施形態では、印刷装置４Ｃは色補正モードにセットされており、画像処理装置８は
動作可能状態（アクティブ）で待機状態にあるものとする（待機ステップ：Ｓ６０１）。
【０１００】
画像取得手段８１は、印刷指示がない場合（Ｓ６０１の「ＮＯ」）は待機状態を継続す
る。メモリ装着手段４１に装着されたメモリ４１１に格納された画像９５について、印刷
指示がなされ、あるいは通信手段４２を介して画像記憶手段４５に格納された画像につい
て印刷指示がなされると（Ｓ６０１の「ＹＥＳ」）、画像取得手段８１は印刷指示された
画像（処理対象となる画像９５）を取得する（画像取得ステップ：Ｓ６０２）。
【０１０１】
判定手段８３は、画像９５が所定のフォーマットの画像（本実施形態ではＪＰＥＧ画像
）であるか否かを判断し（フォーマット判定ステップ：Ｓ６０３）、ＪＰＥＧ画像でない
とき（Ｓ６０３の「ＮＯ」）は、色補正処理を中止する（色補正処理中止ステップ：Ｓ６
０７）。そして、印刷データ生成手段４３に画像９５の印刷データの生成を指示し（Ｓ６
０８）、印刷データ生成手段４３は画像９５の印刷データの生成の指示があると、印刷手
段４４はこの印刷データの印刷処理（すなわち、画像９５の印刷）を行う（Ｓ６０９）。
【０１０２】
なお、色補正画像９６でない画像を図１０（Ｂ）においては通常画像９７として示す。
また、判定手段８３は、画像９５がＪＰＥＧ画像であると判断したとき（Ｓ６０２の「
ＹＥＳ」）は、画像９５に顔オブジェクトの輪郭情報Ｇ（ｘg，ｙg）および色情報ＥＣが
書き込まれまたは埋め込まれているか否かを判定し（輪郭情報・色情報有無判定ステップ
：Ｓ６０４）、顔オブジェクトの輪郭情報Ｇ（ｘg，ｙg）色情報ＥＣが書き込まれまたは
埋め込まれていないとき（Ｓ６０４の「ＮＯ」）は、色補正処理を中止する（Ｓ６０７）
。そして、印刷データ生成手段４３に画像９５の印刷データの生成を指示し（Ｓ６０８）
、印刷データ生成手段４３は画像９５の印刷データを生成し、印刷手段４４はこの印刷デ
ータの印刷処理（すなわち、画像９５の印刷）を行う（Ｓ６０９）。
【０１０３】
判定手段８３が、画像９５に顔オブジェクトの輪郭情報Ｇ（ｘg，ｙg）および色情報Ｅ
Ｃが書き込まれまたは埋め込まれていると判定したときは（Ｓ６０４の「ＹＥＳ」）、色
情報ＥＣと比較色情報記憶手段８２に記憶されている比較色情報ＳＣとを比較し、色補正
を行う。
【０１０４】
第１，第２実施形態と同様、色補正は、ＲＧＢ空間で行うこともできるし、Ｌ*，ａ*，
ｂ*空間で行うこともできるし、ＹＭＣまたはＹＭＣＫ空間で行うこともできる。本実施
形態においても、色情報ＥＣが示す色ｅｃ（Ｒｅｃ，Ｇｅｃ，Ｂｅｃ）が、比較色情報Ｓ
Ｃが示す色ｓｃ（Ｒｓｃ，Ｇｓｃ，Ｂｓｃ）を中心とするＲＧＢ色空間での所定領域に含
まれか否かを判断する（色比較ステップ：Ｓ６０５）。
【０１０５】
たとえば、色情報ＥＣが示す色ｅｃ（Ｒｅｃ，Ｇｅｃ，Ｂｅｃ）について、下記の条件
を判断する。
Ｒｓｃ−δＲ＜Ｒｅｃ≦Ｒｓｃ＋δＲ  ・・・（１ａ）
Ｇｓｃ−δＧ＜Ｇｅｃ≦Ｇｓｃ＋δＧ  ・・・（１ｂ）
Ｂｓｃ−δＢ＜Ｂｅｃ≦Ｂｓｃ＋δＢ  ・・・（１ｃ）
【０１０６】
色ｅｃ（Ｒｅｃ，Ｇｅｃ，Ｂｅｃ）が、上式を満たすときには
色情報ＥＣが示す色ｅｃ（Ｒｅｃ，Ｇｅｃ，Ｂｅｃ）が、比較色情報ＳＣが示す色ｓｃ
（Ｒｓｃ，Ｇｓｃ，Ｂｓｃ）を中心とするＲＧＢ色空間での所定領域に含まれていないと
きは（Ｓ６０５の「ＮＯ」）、色補正処理を中止する（Ｓ６０７）。
色情報ＥＣが示す色ｅｃ（Ｒｅｃ，Ｇｅｃ，Ｂｅｃ）が、比較色情報ＳＣが示す色ｓｃ
（Ｒｓｃ，Ｇｓｃ，Ｂｓｃ）を中心とするＲＧＢ色空間での所定領域に含まれているとき
は（Ｓ６０５の「ＹＥＳ」）、輪郭情報Ｇ（ｘg，ｙg）で示される領域を、トーンカーブ
補正やレベル補正等の適宜の補正手法により補正し、色補正画像９６を生成する（Ｓ６０
６）。
【０１０７】
この色補正画像９６は、印刷データ生成手段４３に渡され、前述したように印刷データ
生成手段４３は、色補正画像９６から印刷データを生成し（Ｓ６０８）、これを印刷手段
４４に送り、印刷手段４４により画像９５の印刷を行う（Ｓ６０９）。
【０１０８】
なお、本発明の画像処理装置、本発明のデジタルカメラには、顔オブジェクトにかかる
人種を判断できる機能を搭載しておくことができる。たとえば、白色人種，黄色人種，黒
色人種を、顔の輪郭、顔構成要素の配置、顔色や顔の骨格により判断するようにしておき
、色補正を行う場合には、人種の顔の色の傾向を抽出し、色補正に際してこの傾向を参酌
して顔色を決定するようにできる。また、人種設定をすることができる機能をデジタルカ
メラに備えることができる。顔の比較色情報は、各国に応じて設定することもできる。た
とえば、北欧の国の人の顔の比較色と、赤道に近い国の人の顔の比較色とを異ならせるこ
とができる。デジタルカメラに、人種等に応じた比較色情報を選択できる機能を搭載して
おき、ユーザが適宜比較色を選択できるようしてもよい。
【図面の簡単な説明】
【０１０９】
【図１】（Ａ）は本発明の顔オブジェクト情報付き撮影画像生成のための画像処理装置の第１実施形態を示す機能ブロック図、（Ｂ）は（Ａ）の画像処理装置が搭載されたデジタルカメラを示す機能ブロック図である。
【図２】（Ａ）は、本発明の色補正用の画像処理装置の第１実施形態を示す機能ブロック図、（Ｂ）は（Ａ）の画像処理装置が搭載された印刷装置を示す機能ブロック図である。
【図３】本発明の顔オブジェクト情報付き画像の生成方法の第１実施形態を示すフローチャートであり、図１（Ｂ）に示したデジタルカメラにおける処理を示す図である。
【図４】本発明の顔オブジェクト情報付き画像の色補正方法の第１実施形態を示すフローチャートであり、図３（Ｂ）に示した印刷装置による処理を示す図である。
【図５】（Ａ）は本発明の顔オブジェクト情報付き撮影画像生成のための画像処理装置の第２実施形態を示す機能ブロック図、（Ｂ）は（Ａ）の画像処理装置が搭載されたデジタルカメラを示す機能ブロック図である。
【図６】（Ａ）は、本発明の色補正用の画像処理装置の第２実施形態を示す機能ブロック図、（Ｂ）は（Ａ）の画像処理装置が搭載された印刷装置を示す機能ブロック図である。
【図７】本発明の顔オブジェクト情報付き画像の生成方法の第２実施形態を示すフローチャートであり、図５（Ｂ）に示したデジタルカメラにおける処理を示す図である。
【図８】本発明の顔オブジェクト情報付き画像の色補正方法の第２実施形態を示すフローチャートであり、図６（Ｂ）に示した印刷装置による処理を示す図である。
【図９】（Ａ）は本発明の顔オブジェクト情報付き撮影画像生成のための画像処理装置の第３実施形態を示す機能ブロック図、（Ｂ）は（Ａ）の画像処理装置が搭載されたデジタルカメラを示す機能ブロック図である。
【図１０】（Ａ）は、本発明の色補正用の画像処理装置の第３実施形態を示す機能ブロック図、（Ｂ）は（Ａ）の画像処理装置が搭載された印刷装置を示す機能ブロック図である。
【図１１】本発明の顔オブジェクト情報付き画像の生成方法の第３実施形態を示すフローチャートであり、図９（Ｂ）に示したデジタルカメラにおける処理を示す図である。
【図１２】本発明の顔オブジェクト情報付き画像の色補正方法の第３実施形態を示すフローチャートであり、図１０（Ｂ）に示した印刷装置による処理を示す図である。
【符号の説明】
【０１１０】
１，３，５，６，７，８  画像処理装置
２Ａ，２Ｂ，２Ｃ  デジタルカメラ
４Ａ，４Ｂ，４Ｃ  印刷装置
１１，５１，７１  原撮影画像取得手段
１２，５２，７２  顔オブジェクト認識手段
１３，５３，７３  顔オブジェクト情報抽出手段
１４，５４，７４  撮影画像生成手段
２１  撮像手段
２２  撮影画像処理手段
２３  自動焦点合せ手段
２４  操作手段
２５  表示手段
２６  メモリ装着手段
２７  通信手段
３１，６１，８１  画像取得手段
３２，６２，８２  比較色情報記憶手段
３３，６３，８３  判定手段
３４  色情報抽出手段
４１  メモリ装着手段
４２  通信手段
４３  印刷データ生成手段
４４  印刷手段
４５  画像記憶手段
３５，６５，８５  色補正手段
９１  原撮影画像
９２  顔オブジェクト情報付き撮影画像
９５  画像
２６１，４１１  メモリ
９１１  顔オブジェクト
【図１】
2010252352.tif 000003
【図２】
2010252352.tif 000004
【図３】
2010252352.tif 000005
【図４】
2010252352.tif 000006
【図５】
2010252352.tif 000007
【図６】
2010252352.tif 000008
【図７】
2010252352.tif 000009
【図８】
2010252352.tif 000010
【図９】
2010252352.tif 000011
【図１０】
2010252352.tif 000012
【図１１】
2010252352.tif 000013
【図１２】
2010252352.tif 000014
【手続補正書】
【提出日】平成22年6月22日(2010.6.22)
【手続補正１】
【補正対象書類名】特許請求の範囲
【補正対象項目名】全文
【補正方法】変更
【補正の内容】
【特許請求の範囲】
【請求項１】
画像における顔領域を認識する認識手段と、
前記顔領域の色の情報を前記画像に添付または埋め込む生成手段と、
を備える、
デジタルカメラ。
【請求項２】
デジタルカメラにおいて実行される方法であって、
画像における顔領域を認識する工程と、
前記顔領域の色の情報を前記画像に添付または埋め込む工程と、
を有する、
方法。
【請求項３】
画像における顔領域を認識する認識手段と、
前記顔領域の色の情報と前記画像とを格納するメモリ、を着脱できるメモリ装着手段と、
を備える、
デジタルカメラ。
【請求項４】
デジタルカメラにおいて実行される方法であって、
画像における顔領域を認識する工程と、
前記顔領域の色の情報と前記画像とをメモリに格納させる工程と、
を備える、
デジタルカメラ。